(57)【要約】【課題】巨大なクリーンルームを用いることなく、例えばＩＳＯクラス−１以上の超高清浄度のクリーンエアー環境を実現することができ、しかも小型に構成することができるクリーンユニットを提供する。【解決手段】密閉可能に構成され、内部をクリーンな環境に維持することができる作業室１と、作業室１に設けられた送風動力を伴う塵埃フィルターと、作業室１と塵埃フィルターの入口との間を気密性を持って接続する気体流路とを有し、作業室１から流出する気体の全てがその気体流路を通って塵埃フィルターの入口に入るように構成されたクリーンユニットにおいて、作業室１の内部に作業室１の上部の壁面１１ｃに対向して少なくとも一層の塵埃フィルター１７を設ける。気体流路の一部を、作業室１の一つの壁面に設けられた二重壁１１ａ、１１ｂの間の空間であって作業室１の内部より体積が小さいものにより構成する。【選択図】図６
0003140798.tif 000002
【実用新案登録請求の範囲】
【請求項１】
密閉可能に構成され、内部をクリーンな環境に維持することができる作業室と、
上記作業室に設けられた送風動力を伴う塵埃フィルターと、
上記作業室と上記塵埃フィルターの入口との間を気密性を持って接続する気体流路とを有し、
上記作業室から流出する気体の全てが上記気体流路を通って上記塵埃フィルターの入口に入るように構成されたクリーンユニットであって、
上記作業室の内部に上記作業室の上部の壁面に対向して少なくとも一層の塵埃フィルターが設けられている
ことを特徴とするクリーンユニット。
【請求項２】
上記塵埃フィルターと上記壁面との間の空間内において上記壁面に送風ファンが設けられていることを特徴とする請求項１記載のクリーンユニット。
【請求項３】
上記塵埃フィルターと上記壁面との間の空間の厚さが上記作業室の内部の空間の縦方向の寸法の１／５以下であることを特徴とする請求項２記載のクリーンユニット。
【請求項４】
上記塵埃フィルターと上記壁面との間の空間の厚さが０．５〜２０ｃｍであることを特徴とする請求項３記載のクリーンユニット。
【請求項５】
上記作業室の下部の壁面が二重壁により構成され、この二重壁の間の空間内において上壁に送風ファンが設けられていることを特徴とする請求項１記載のクリーンユニット。
【請求項６】
上記塵埃フィルターは少なくとも粒径０．３μｍ以上のダスト微粒子の捕集効率が０．９以上であることを特徴とする請求項１記載のクリーンユニット。
【請求項７】
上記作業室の内部に上記作業室の上部の壁面に対向して二層以上の塵埃フィルターが設けられていることを特徴とする請求項１記載のクリーンユニット。
【請求項８】
上記塵埃フィルターは上流側のＨＥＰＡフィルターと下流側のＵＬＰＡフィルターとからなることを特徴とする請求項７記載のクリーンユニット。
【請求項９】
上記塵埃フィルターを構成するろ材がジグザグ形状の断面構造を有することを特徴とする請求項１記載のクリーンユニット。
【請求項１０】
上記ジグザグ形状の断面構造を有するろ材の周期がｗ、高さがｈであるとき、０＜ｈ／ｗ≦１０であることを特徴とする請求項９記載のクリーンユニット。
【請求項１１】
上記気体流路の一部が、上記作業室の背面側、側面側または底面側の壁面に設けられた二重壁の間の空間であって上記二重壁の間の空間の厚さが上記作業室の内部の空間の奥行き、幅または高さの寸法の１／５以下のものであることを特徴とする請求項１記載のクリーンユニット。
【請求項１２】
上記気体流路の一部が、上記作業室の側面側に設けられたパイプ状流路からなることを特徴とする請求項１記載のクリーンユニット。
【請求項１３】
上記パイプ状流路の断面の最大寸法が１０ｃｍ以下であることを特徴とする請求項１２記載のクリーンユニット。
【請求項１４】
上記パイプ状流路に弁が設けられ、この弁の開閉により上記パイプ状流路の開閉が可能であることを特徴とする請求項１２記載のクリーンユニット。
【請求項１５】
上記作業室の後部、上部および下部のうちの少なくとも一つならびに少なくとも一方の側部にそれぞれ連結部が設けられていることを特徴とする請求項１記載のクリーンユニット。
【請求項１６】
クリーンな環境に維持することができるクリーンユニットが複数連結された連結クリーンユニットにおいて、
少なくとも一つのクリーンユニットが、
密閉可能に構成され、内部をクリーンな環境に維持することができる作業室と、
上記作業室に設けられた送風動力を伴う塵埃フィルターと、
上記作業室と上記塵埃フィルターの入口との間を気密性を持って接続する気体流路とを有し、
上記作業室から流出する気体の全てが上記気体流路を通って上記塵埃フィルターの入口に入るように構成されたクリーンユニットであって、
上記作業室の内部に上記作業室の上部の壁面に対向して少なくとも一層の塵埃フィルターが設けられているものである
ことを特徴とする連結クリーンユニット。
【考案の詳細な説明】
【技術分野】
【０００１】
この考案は、クリーンユニットおよび連結クリーンユニットに関し、特に、粉塵や菌などのダスト微粒子の数を極めて小さい一定値以下に維持することができ、あるいはこれらのダスト微粒子の混入のない超クリーンエアー（空気）環境をクリーンルームを用いることなく実現するのに適用して好適なものである。
【背景技術】
【０００２】
電子工業・精密機械工業・精密印刷などの用途の精密製品の高品質化と歩留まり向上とを図るために塵埃を除去するクリーンルームが必要とされている。国際半導体技術ロードマップ（International Technology Roadmap for Semiconductor, ＩＴＲＳ）によれば、局所クリーン化の進展により２０１８年には通常の大気レベルの環境までクリーンルームの要求清浄度は緩和されるとしているが、現時点ではまだそれからはほど遠い。
【０００３】
クリーンルームを用いることなくクリーンな作業空間を提供する技術については従来より提案されている。例えば、クリーンな環境での作業を可能とする作業台として、作業空間の開口部から外気を取り入れ、この空気をフィルターでろ過して作業空間の上部から作業空間内に吹き出す作業台であって、作業空間の側面または背面に作業空間と外部とを連通する連通路を設け、この連通路に物体収納空間を形成し、物体空間の両側に外部と作業空間とを仕切る開閉手段を設けたものが提案されている（特許文献１参照。）。
【０００４】
また、単位室体を順次連結して、全体として一定容積の清浄空間を構成する連結式クリーン空間装置において、各単位室体毎に、その内部において清浄な空気を循環させる空気循環手段および粉塵除去手段を備え、清浄空間と遮断して空調手段設置空間を設けた連結式クリーン空間装置が提案されている（特許文献２参照。）。
【０００５】
また、空気循環手段と粉塵除去手段および空調手段とをそれぞれ備えて単位室体を順次連結して、全体として一定容積の清浄空間を構成する連結式クリーン空間装置において、前記単位室体の内部空間を連結する開口部に、前記開口部を横切る方向に空気が吹き出るように空気吹き出し口を設け、あるいは、前記単位室体の内部空間を連結する開口部に開閉自在な扉を設けることが提案されている（特許文献３参照。）。
【０００６】
また、上方に外気を取り入れ下面の空気吹き出し口から作業域内に清浄空気を吹き出す空気浄化部を備え、下方にこの空気浄化部を支える脚を有する移動可能な清浄作業室において、作業室同士の脚を互いに結合する脚部結合手段と、作業室同士の空気浄化部を互いに結合する空気浄化部結合手段とを備え、上記空気浄化部結合手段は空気浄化部の側面に設けられ、該側面の幅方向全長にわたり上下方向に結合する１対の結合部材からなり、上記結合部材の少なくとも一方はその上下方向の結合部を圧縮可能な密封材で構成され、作業室同士の結合、分離が自在である清浄作業室が提案されている（特許文献４参照。）。
【０００７】
また、フィルターを通して清浄な空気を吹き出すブロウユニットと、ブロウユニットから供給される空気をフィルターを通して吸い込むドレンユニットとを間隔をおいて対向配置することでクリーンベンチを構成することが提案されている（特許文献５参照。）。
【０００８】
また、完全循環型で密閉された構造を持つクリーンユニットおよび連結クリーンユニットが提案されている（特許文献６〜８参照）。これによれば、クリーンな環境に維持することができる作業室の後部、上部および下部のうちの少なくとも一つならびに少なくとも一方の側部にそれぞれ連結部を設けたクリーンユニットの作業室の上部に送風動力を有する塵埃フィルター（ＨＥＰＡ（high efficiency particulate air)フィルター）を一つ設けるとともに、作業室の側面などに気密性を有する管を直結し、かつ上記の塵埃フィルターの入口に繋げることにより気体が循環するように構成する。このクリーンユニットの清浄度の平均値および最高値はクラス１０並の値が得られている。また、このクリーンユニットは、その連結部を利用して、実行しようとするプロセスに応じて、折れ線状配置、ループ状配置などで複数連結することにより所望のクリーンユニットシステムを容易に構成することができる。上記のようにクリーンユニットを循環型に構成することにより高い清浄度が達成されるメカニズムについては、すでに報告されている（非特許文献１、２参照。）。
【０００９】
図４２にこの種の従来のクリーンユニットを示す。図４２に示すように、このクリーンユニットにおいては、作業室３０１の上面に送風ファンを有する塵埃フィルター３０２が取り付けられ、作業室３０１の側壁下部に設けられた通風孔と塵埃フィルター３０２の入口とを気密性を持って接続するように循環ダクト３０３が取り付けられており、図４２中矢印で示すように空気を循環させることにより作業室３０１の内部を高清浄環境に維持することができるようになっている。
【００１０】
しかしながら、上記の特許文献６〜８で提案された従来のクリーンユニットでは、ＩＳＯクラス−１以上の超高清浄度環境を実現することは困難であった。
そこで、このような超高清浄度環境を実現することを目的として、本考案者により、密閉可能に構成され、内部をクリーンな環境に維持することができる作業室と、上記作業室に設けられた送風動力を有する塵埃フィルターと、上記作業室と上記塵埃フィルターの入口との間を気密性を持って接続する気体流路とを有し、上記作業室から流出する気体の全てが上記気体流路を通って上記塵埃フィルターの入口に入るように構成されたクリーンユニットであって、上記気体流路の一部が、上記作業室の一つの壁面に設けられた二重壁の間の空間であって上記作業室の内部より体積が小さいものにより構成されたものが提案され（特許文献９参照。）、既に実用化されている。
【００１１】
【特許文献１】特開平２−１５９８４号公報
【特許文献２】特開平５−１０６８８８号公報
【特許文献３】特開平５−２２３３００号公報
【特許文献４】特開昭６３−１２３９３７号公報
【特許文献５】特開２００３−９０５７６号公報
【特許文献６】国際公開第０４／１１４３７８号パンフレット
【特許文献７】特開２００６−１８３９２９号公報
【特許文献８】特開２００７−８５７２１号公報
【特許文献９】実用新案登録第３１３４９８２号明細書
【非特許文献１】A.Ishibashi, H.Kaiju, Y.Yamagata and N.Kawaguchi : Electron. Lett.41,735(2005)
【非特許文献２】H.Kaiju, N.Kawaguchi and A.Ishibashi : Rev. Sci. Instrum.76, 085111(2005)
【考案の開示】
【考案が解決しようとする課題】
【００１２】
しかしながら、上記の特許文献９で提案された従来のクリーンユニットは、作業室の上部に塵埃フィルター、ファンユニット、ダクトホース、連結管などが取り付けられているため、クリーンユニット全体の大きさが大きくなってしまうという問題があった。
そこで、この考案が解決しようとする課題は、大掛かりで小回りが効かず、巨大な設備投資や固定資産負担が必要な巨大なクリーンルームを用いることなく、例えばＩＳＯクラス−１以上の超高清浄度のクリーンエアー環境を実現することができ、しかも小型に構成することができるクリーンユニットおよびこのクリーンユニットを用いた連結クリーンユニットを提供することである。
【課題を解決するための手段】
【００１３】
上記課題を解決するために、第１の考案は
密閉可能に構成され、内部をクリーンな環境に維持することができる作業室と、
上記作業室に設けられた送風動力を伴う塵埃フィルターと、
上記作業室と上記塵埃フィルターの入口との間を気密性を持って接続する気体流路とを有し、
上記作業室から流出する気体の全てが上記気体流路を通って上記塵埃フィルターの入口に入るように構成されたクリーンユニットであって、
上記作業室の内部に上記作業室の上部の壁面に対向して少なくとも一層の塵埃フィルターが設けられている
ことを特徴とするものである。
【００１４】
第２の考案は、
クリーンな環境に維持することができるクリーンユニットが複数連結された連結クリーンユニットにおいて、
少なくとも一つのクリーンユニットが、
密閉可能に構成され、内部をクリーンな環境に維持することができる作業室と、
上記作業室に設けられた送風動力を伴う塵埃フィルターと、
上記作業室と上記塵埃フィルターの入口との間を気密性を持って接続する気体流路とを有し、
上記作業室から流出する気体の全てが上記気体流路を通って上記塵埃フィルターの入口に入るように構成されたクリーンユニットであって、
上記作業室の内部に上記作業室の上部の壁面に対向して少なくとも一層の塵埃フィルターが設けられているものである
ことを特徴とするものである。
【００１５】
第１および第２の考案において、作業室内のダスト微粒子密度をｎ（ｔ）（ｔは運転開始後の時間）、作業室の内部の空間の体積をＶ、その空間の内面積をＳ、単位面積・単位時間当たりのダスト微粒子の脱離レートをσ、クリーンユニットの設置環境（外気）のダスト微粒子密度をＮ0 、塵埃フィルターのダスト捕集効率をγ、塵埃フィルターの風量をＦとすると、作業室内のダスト微粒子密度ｎ（ｔ）は、非特許文献１において本考案者らにより理論的に示されている通り、
【数１】
0003140798.tif 000003
なる微分方程式を満たす。
【００１６】
密閉循環系では、従来の半開放系であるクリーンルームのダスト微粒子密度と大きく異なり、ｎ（ｔ）は、
【数２】
0003140798.tif 000004
によって与えられる。時間が経てば（１）式の第２項が
【数３】
0003140798.tif 000005
に従って、つまり、γはほぼ１であるのでＶ／Ｆ時間当たり、１／ｅに減衰し、急速にゼロに近づくため、外気のダスト微粒子密度を含まない（１）式の右辺第１項のみが残る。すなわち、密閉循環系では、クリーンユニットの設置環境によらず、
【数４】
0003140798.tif 000006
なる究極の清浄度が得られる。
【００１７】
例えば、作業室の内部の空間の幅、高さ、奥行きが各１ｍのクリーンユニットにおいて風量Ｆ＝１ｍ3 ／分で密閉循環させる場合を考えると、Ｖ／Ｆ＝１ｍ3 ／（１ｍ3 ／分）＝１分となるので、１分毎に、作業室内のダスト微粒子数は１／ｅ、すなわち約２．８分の一に減っていくことが分かる。また、作業室の内部の空間の幅、高さ、奥行きが各２ｍのクリーンユニットの場合、風量８ｍ3 ／分のファンユニットを一台用いる（あるいは風量２ｍ3 ／分のファンユニットを４台用いるなど）ことにより、同じタイムスケールで、作業室の内部の清浄度を高くすることができる。
【００１８】
特に、従来のクリーンルームの定常状態のダスト微粒子密度は設置環境のダスト微粒子密度Ｎ0 に依存し、かつこのためできるだけダスト微粒子の捕集効率γが１に近い高品質の塵埃フィルターが必要であったのに対し、第１および第２の考案では、定常状態のダスト微粒子密度ｎ（ｔ）はＮ0 に依存せず（従って設置環境を選ばず）、かつγがｎの表式の分母に入っているので、γが１に近いことも重要ではなく、安価な塵埃フィルターでも極めて高い清浄度を達成することができる。
好適には、作業室から流出する気体の風量に対する作業室の内部の体積の比を２．５分以下とする。
【００１９】
従来の考察（特許文献８などを参照）では、
【数５】
0003140798.tif 000007
におけるＳσは作業室の内壁の表面のものが考えられていたが、ＩＳＯクラス−１以上の超高清浄度を得るには、作業室の内壁の表面の凹凸を十分に小さくすることに加え、気体流路の一部を、作業室に比べて小さい体積しか有しない背面側、側面側または底面側の壁面に設けられた二重壁により構成し、この二重壁の間の空間を通じて気体の還流を行うことにより、Ｓσは、塵埃フィルターそのもののそれを考えなければならないことが判明した。
【００２０】
二重壁の間の空間の厚さは、好適には、作業室の内部の空間の奥行き、幅または高さの寸法の１／５以下であり、具体的には、例えば１ｃｍのオーダー、典型的には１〜４ｃｍである。このようにすることで、ＩＳＯクラス−１またはそれ以上の超高清浄度を得やすくなる。同時にまた、このクリーンユニットを設置する部屋に対するこのクリーンユニットの占有体積に比べてこのクリーンユニットの作業室における作業空間の体積を増加させることができるので、この作業室内への各種のプロセス装置や機器などの格納効率、作業の対象物の数、作業量などの向上を図ることができ、それによってプロセス効率の向上を図ることができ、作業室内での相対作業効率の向上を図ることができる。また、クリーンユニットの運転中は二重壁の間の空間は外部空間に対して陰圧となるため、この二重壁を押し潰す圧力が加わることから、これを防止するために、好適には、二重壁の間にこの二重壁の補強材が設けられる。この補強材としては、例えば、波状の断面形状および複数の通気孔を有する板や、少なくとも一つ、一般的には複数のリブまたは支柱を用いることができる。こうすることで、二重壁の潰れを防止して、作業室の高清浄度を極めて再現性良く得ることが可能となる。気体流路となる、二重壁の開口部の断面形状は、例えば、ほぼ正方形、言い換えると断面形状の縦横比（アスペクト比）がほぼ１対１になるようにしてもよいし、ほぼ円形にしてもよい。好適には、作業室および還流用の気体流路の一部を構成する二重壁の少なくとも一部、より好適には、作業室のほぼ全部および二重壁の全部が表面凹凸の少ない材料、例えばステンレス鋼や透明樹脂などにより形成され、最も好適には、内面が鏡面（例えば、ＪＩＳ規格＃４００〜＃８００相当）のステンレス鋼により形成される。必要に応じて、作業室の内壁からの発塵を抑えるために、例えば、この内壁の全部または一部に、ポリテトラフルオロエチレンのコーティングあるいは導電性薄膜によるコーティングを施すようにしてもよい。
【００２１】
必要に応じて、二重壁の代わりに、気体流路の一部を作業室の側面、望ましくは背面側の隅に設けられたパイプ状流路、例えば断面の最大寸法が１０ｃｍ以下のパイプ状流路を設けてもよい。この最大寸法は、作業室の相対作業効率を低下させないよう配慮して決められる。このパイプ状流路の断面形状は円形のほか、正方形、長方形などの多角形であってよい。このパイプ状流路には必要に応じて弁が設けられ、例えば、この弁の開閉によりパイプ状流路の開閉が可能に構成される。また、この弁の開閉により、気体流路の遮断や流路の変更を容易に行うことが可能となり、気体流路を変更した場合に生じるデッドスペースを小さくすることができ、超高清浄度を高い安定性で実現することができる。クリーンユニットを複数連結する場合、好適には、作業室の後部、上部および下部のうちの少なくとも一つならびに少なくとも一方の側部にそれぞれ連結部が設けられる。このような連結クリーンユニットは、一つまたは複数、好適には全てのクリーンユニットおいて超高清浄度のクリーンエアー環境を得ることができることから、随時拡張可能な、トータルのプロセスを一貫して行うことができるプラットフォームとして用いることができる。
【００２２】
典型的な一つの例では、塵埃フィルターと作業室の上部の壁面との間の空間においてこの壁面に送風ファンが設けられる。この場合、好適には、塵埃フィルターと作業室の上部の壁面との間の空間の厚さが作業室の内部の空間の縦方向の寸法の１／５以下であり、具体的には例えば０．５〜２０ｃｍ、典型的には３〜１５ｃｍであるが、これに限定されるものではない。すなわち、塵埃フィルターと作業室の上部の壁面との間の空間の厚さは、このクリーンユニットを設置する部屋でのこのクリーンユニットの占有体積に対するこのクリーンユニットの作業室における作業空間の体積の比を増加させ、この作業室内への各種のプロセス装置や機器などの格納効率、作業の対象物の数、作業量などの向上を図り、それによってプロセス効率の向上を図り、作業室内での相対作業効率の向上を図ることができるように配慮して決められる。送風ファンは、作業室の下部の底面を二重壁により構成し、この二重壁の間の空間内において上壁あるいは側壁に設けてもよい。また、二重壁の一部または全部をパイプなどの中空構造体で置き換えることも可能である。
【００２３】
塵埃フィルターは、作業室の内部にこの作業室の上部の壁面に対向して二層以上設けてもよい。この塵埃フィルターとしては、好適には、少なくとも粒径０．３μｍ以上のダスト微粒子の捕集効率が０．９以上であるものが用いられ、具体的には、例えば、ＨＥＰＡフィルターや、ポリテトラフルオロエチレンをろ材に用いたＵＬＰＡ（ultra low penetration air)フィルター、あるいはこれらの双方が用いられる。
【００２４】
塵埃フィルターのろ材は平面構造のシート状であってもよいし、ジグザグ形状の断面構造を有してもよい。後者の場合、塵埃フィルターの占有面積に対する有効面積を大きくすることができる。具体的には、ジグザグ形状の断面構造を有するろ材の周期をｗ、高さをｈとすると、上述のように、作業室内の空間における相対作業効率の向上を図り、塵埃フィルターの有効面積に対する占有体積を小さくする観点から、好適には、０＜ｈ／ｗ≦１０とする。
【００２５】
クリーンユニットの形状は、種々の形状であってよく、必要に応じて選ばれるが、具体例を挙げると、直方体状または立方体状、直方体または立方体を変形した形状などであってよい。また、作業室の内部の大きさは、基本的には使用目的などに応じて設計により適宜決定するものであるが、例えば、オペレーターがグローブなどを用いて作業室の内部で各種の作業（各種のプロセスの実行、クリーニングなどのメンテナンスの実施など）を行うことができるようにするためには、作業室内に外部から手を入れて作業空間のほぼ全体に届く大きさであることが望ましく、一般的には通常の室内に格納することができる大きさ、例えば幅、高さ、奥行きとも１ｍ以内に選ばれるが、これに限定されるものではない。一方、作業室の内部に人が入って作業を行う場合には、人が入ることができる大きさ、例えば幅、高さ、奥行きとも１．５ｍ以上、典型的には２ｍ以上に選ばれるが、これに限定されるものではない。作業室内に人が入って作業を行う必要がない場合、例えば作業を自動化する場合、あるいは、クリーンユニットを試料などを入れたまま携帯する場合などには、作業室の大きさをより小さくすることが可能である。
【００２６】
作業室内では、例えば材料処理を行うことができる。この材料処理には、無機材料、有機材料、生体材料などの各種の材料の処理が含まれる。複数のクリーンユニットを連結する場合、例えば、トータルな一連のプロセスフローの中で複数回現れる同種類のプロセスを、上記の複数のクリーンユニットに、ループ状配置でクリーンユニットが連結された部分を設けることにより、同一のクリーンユニットにおいて実行可能となる。
【００２７】
複数のクリーンユニットを連結する場合、この連結クリーンユニットには、例えば、ナノテクノロジープロセスユニットおよび／またはバイオテクノロジープロセスユニットを含ませることができる。
クリーンユニットの連結を行う場合、作業室の後部、上部および下部のうちの少なくとも一つならびに少なくとも一方の側部にそれぞれ連結部が設けられるが、作業室の連結部を後部、上部、下部および二つの側部のどこに設けるかは、クリーンユニットを二次元的（平面的）または三次元的（立体的）にどのように配置するかに応じて適宜決められる。例えば、連結クリーンユニットを水平面内に配置する場合、連結の自由度を大きくし、連結クリーンユニットのフレキシビリティーを高めるためには、好適には、連結部は、作業室の後部および両側部にそれぞれ設けられる。この場合、一つのクリーンユニットに対し、後部および両側部に合計三つのクリーンユニットを連結することが可能である。また、クリーンユニットを鉛直面内に配置する場合、連結の自由度を大きくし、連結クリーンユニットのフレキシビリティーを高めるためには、好適には、連結部は、作業室の上部または下部および両側部にそれぞれ設けられる。この場合、一つのクリーンユニットに対し、上部または下部および両側部に合計三つのクリーンユニットを連結することが可能である。連結部は、例えば、作業室の壁に設けられた開口部とこの開口部を開閉可能に設けられた遮断板とを有する。この遮断板は、開閉可能である限り、基本的にはどのようなものであってもよいが、典型的には、引き戸や扉などである。この遮断板の開閉は、手動で行ってもよいし、光センサーなどのセンサーを作業室内部に取り付けるとともに、遮断板の開閉機構を設け、オペレーターの手や試料が遮断板に近づいた時に自動的に開閉するようにしてもよい。また、作業室にベルトコンベアーなどの搬送機構を設け、入り口と出口との間でこの搬送機構により試料を搬送する場合には、試料が搬送機構により出口付近まで搬送された時、これをセンサーにより検知して遮断板を開閉機構により開閉するようにしてもよい。遮断板または作業室の壁面にパッキンなどのシール部材を設けて遮断時の気密性を高めるようにしてもよい。
【００２８】
クリーンユニットの内部（作業室の内部）には、使用目的に応じて、コンパクトな装置を収めることができる。この装置は、具体的には、例えば、各種のプロセス装置、ラッピング装置、解析装置（例えば、光学顕微鏡、走査型電子顕微鏡（ＳＥＭ）、原子間力顕微鏡（ＡＦＭ）などの走査プローブ顕微鏡（ＳＰＭ）など）、反応装置、マイクロケミカルシステム、マイクロケミカルリアクター、露光装置、エッチング装置、成長装置、加工装置、殺菌装置、粒径フィルター、人工光源、バイオ装置、食品加工装置、検査装置、メディカルデバイス、内視鏡部品、コンタクトレンズ作製機器、透析機器、医用ディスポーザル製造装置、香辛料／化粧品の調合・作製装置、製薬装置などである。人工光源は、例えば、細胞系の育成、植物体の育成、遺伝子実験などを行う場合に用いられる。細胞系の育成や植物体の育成を行う場合、人工光源としては、好適には、スペクトル半値幅が３０ｎｍ以下の発光ダイオードや半導体レーザ、特にパルス駆動半導体レーザが用いられる。
また、クリーンユニットの作業室の内部環境は様々な方式で制御することができる。この内部環境の制御手段は、例えば、温度制御装置、湿度制御装置、気体成分制御装置、吸着装置、除害装置、特定波長照明器、密閉／開球環境選択機構などである。内部環境は、例えばコンピュータにより制御することができる。
【００２９】
上記の連結クリーンユニットによれば、ナノテクノロジー、バイオテクノロジー、植物工場技術などの分野にわたってトータルな一連のプロセスフローに対応して各種の材料の処理プロセスを高いフレキシビリティーを持って低コストで簡便に実行することができる材料処理方法、トータルな一連のプロセスフローに対応して無機材料または有機材料を用いた各種の素子（ＬＳＩ、発光ダイオード、半導体レーザなど）の製造プロセスを高いフレキシビリティーを持って低コストで簡便に実行することができる素子製造方法、トータルな一連のプロセスフローに対応して植物体育成プロセスを高いフレキシビリティーを持って低コストで簡便に実行することができる植物体育成方法などの実現が可能となる。
【考案の効果】
【００３０】
この考案によれば、作業室の内部にこの作業室の上部の壁面に対向して少なくとも一層の塵埃フィルターが設けられていることにより、作業室の上部に塵埃フィルター、ファンユニット、ダクトホース、連結管などか取り付けられた特許文献９に提案されたクリーンユニットと異なり、クリーンユニットの上面をフラットに構成することができ、クリーンユニット全体の大きさを小さくすることができる。また、作業室と塵埃フィルターの入口との間を気密性を持って接続する気体流路の一部を、作業室の一つの壁面に設けられた二重壁の間の空間により構成することにより、気体流路の幅を十分に広くすることができ、それによって作業室内の気流の制御性を高めることができ、ひいては例えばＩＳＯクラス−１以上の超高清浄度のクリーンエアー環境を実現することができるとともに、この超高清浄度のクリーンエアー環境を長期間維持することができる。そして、連結クリーンユニットでは、このような超高清浄度のクリーンエアー環境でトータルな一連のプロセスを実行することができる。
【考案を実施するための最良の形態】
【００３１】
以下、この考案の実施形態について図面を参照しながら説明する。なお、実施形態の全図において、同一または対応する部分には同一の符号を付す。
図１〜図７はこの考案の第１の実施形態によるクリーンユニットを示し、図１は正面図、図２は背面図、図３は上面図、図４は左側面図、図５は右側面図、図６は図３のＸ−Ｘ線に沿っての断面図、図７は図４のＹ−Ｙ線に沿っての断面図である。また、図８はこのクリーンユニットの作業室から前カバーを取り外した状態を示す正面図、図９は前カバーを本体に取り付けられる側から見た図である。
【００３２】
図１〜図９に示すように、このクリーンユニットは全体として六面体形状の箱状の作業室１を有する。この作業室１の両側面は互いに平行、上面および底面も互いに平行、両側面と上面、底面および背面とは互いに直角であり、前面は背面に対して非平行でその上部が背面に近づく向きに所定の角度、例えば７０〜８５°だけ傾斜しているが、これに限定されるものではない。作業室１は、前部が開放された直方体形状の本体１１とこの本体１１の前面に取り外し可能に設けられた前カバー１２とにより構成されている。前カバー１２は図示省略した固定具により本体１１に固定されている。前カバー１２を取り外した状態で本体１１の中にプロセス装置や観察装置などの必要な装置や試料などを入れることができるようになっている。
【００３３】
本体１１は、内壁からのダスト微粒子の放出を抑えたり、静電気の発生などによるダスト微粒子の付着を防止するために、好適には、金属、取り分けステンレス鋼（例えば、ＳＵＳ３０４）により形成され、より好適には、その内面が、除去しようとするダスト微粒子の径と同程度またはそれ以上の大きさの凹凸を有しない平滑表面であるもの、例えば鏡面（例えば、ＪＩＳ規格＃４００〜＃８００相当）のステンレス鋼により形成される。前カバー１２も同様にステンレス鋼などの金属により形成してもよいが、前カバー１２を透明とする場合には透明アクリル樹脂や透明パレックス樹脂などの透明樹脂を用いてもよい。前カバー１２を金属などの不透明な材料により形成する場合に作業室１の内部を外部から観察可能とするためには、前カバー１２にガラス窓などを設ければよい。図８に示すように、本体１１の前面の外周には額縁部が形成されている。図９に示すように、前カバー１２の、本体１１に取り付けられる側の面の外周にも同じ形状の額縁部が形成されている。本体１１に対する前カバー１２の取り付けは、本体１１の額縁部に対して前カバー１２の額縁部を間にＯリングなどのシール材を挟んで押し付け、図示省略した固定具により本体１１と前カバー１２とを相互に固定することにより行う。このシール材としては、好適には、十分な圧力が加わった状態で気密性が得られるものが用いられる。
【００３４】
作業室１の内部の大きさはその中にプロセス装置などの必要な装置を収容することができ、かつ、オペレーターが作業室１の内部に入らない場合には例えば後述の手作業用グローブに両手を入れて作業室１内で必要な作業を行うことができる大きさに選ばれ、オペレーターが作業室１の内部に入る場合にはオペレーターが内部に入って作業を行うことができる大きさに選ばれる。前者の場合の作業室１の内部の空間の寸法は、一般的には奥行き、幅、高さとも１ｍ以内であり、具体的には例えば奥行き４０〜７０ｃｍ、幅７０〜９０ｃｍ、高さ５０〜１００ｃｍであるが、これに限定されるものではない。
【００３５】
本体１１の背面は、後述のトランスファーボックスの接続部を除いて、所定の間隔をおいて互いに平行に設けられた外壁１１ａと内壁１１ｂとからなる二重壁により構成されている（図６参照）。この二重壁の間の空間は気体流路の一部を構成する。内壁１１ｂの下端と本体１１の底面との間には所定の高さの隙間１３がスリット状に設けられている。内壁１１ｂの下端には、この内壁１１ｂと垂直で本体１１の底面に平行な底板１４が一体に設けられている。図１０にこの底板１４を示す。図１０に示すように、底板１４には、例えば円形の通気孔１４ａが蜂の巣状に多数設けられている。内壁１１ｂの上端には、本体１１の上面１１ｃに平行な天井板１５が一体に設けられている。この天井板１５の、内壁１１ｂの上端以外の辺は、本体１１の前面の外周の額縁部および本体１１の両側面の内壁と密着して固定されている。この天井板１５のほぼ中央部に円形の開口が設けられ、この開口に送風ファン１６が取り付けられている。この送風ファン１６の回転軸は天井板１５に垂直になっている。この送風ファン１６のモーターには図示省略した配線により電力が供給されるようになっている。天井板１５と本体１１の上面１１ｃとからなる二重壁の間の空間は気体流路の一部を構成する。天井板１５の直ぐ下方には、この天井板１５に平行に、この天井板１５とほぼ同じ大きさのシート状のろ材からなる塵埃フィルター１７が設けられている。この塵埃フィルター１７としては、例えば、ガラス繊維をろ材に用いたＨＥＰＡフィルターや、自己発塵の少ない材料、例えば、ポリテトラフルオロエチレンをろ材に用いたＵＬＰＡフィルターを用いる。この塵埃フィルター１７は、本体１１に固定された、自己発塵の少ない材料、例えば金属などからなる例えば格子状の網（図示せず）の上に載せられて支持されている。この網は必要に応じて枠体に取り付けられ、この枠体が本体１１に固定される。
【００３６】
本体１１の両側面および背面の下部にはそれぞれ、クリーンユニット間のコネクターおよび搬送路を兼用するトランスファーボックス１８〜２０が着脱自在に設けられている。図１〜図７には図示されていないが、これらのトランスファーボックス１８〜２０が取り付けられている部分の本体１１の壁には開口部が設けられている。これらのトランスファーボックス１８〜２０を用いて両側面および背面の三方向から他のクリーンユニットを連結することができるようになっているとともに、これらのトランスファーボックス１８〜２０を通して試料などの搬送を行うことができるようになっている。トランスファーボックス１８〜２０は、典型的には、本体１１の壁に設けられた開口部とこの開口部を開閉可能に設けられた遮断板とを有する。この遮断板は、開閉可能である限り、基本的にはどのようなものであってもよいが、典型的には引き戸や扉などである。トランスファーボックス１８〜２０の断面の寸法は例えば（１５〜２０ｃｍ）×（１５〜２０ｃｍ）であるが、これに限定されるものではない。
【００３７】
本体１１の背面のトランスファーボックス２０の接続部の付近の長方形の領域１１ｄにおいては、外壁１１ａが形成されておらず、従って二重壁が形成されていない。そして、トランスファーボックス２０はこの領域１１ｄの内壁１１ｂに接続されている。この領域１１ｄの下端は本体１１の背面の下端と一致している。外壁１１ａは、この領域１１ｄの左端、右端および上端において垂直に折れ曲がって内壁１１ｂと隙間なく接合している。上述のように二重壁は本体１１の背面の領域１１ｄの部分を除いた部分に形成されているが、この二重壁の形状は、左右が非対称であることを無視すると、凱旋門と同様な形状となっている。これを反映して、底板１４と本体１１の底面との間の空間を通って隙間１３から二重壁の間の空間に入るエアーは、この領域１１ｄの両側を通って上方に流れるが、このときのエアーの流れの形状も凱旋門と同様な形状となる（図２参照。）。このように二重壁を凱旋門と同様な形状に形成していることにより、本体１１の背面に対するトランスファーボックス２０の接続が可能となるとともに、二重壁の面積を最大化することができ、この二重壁の間の空間内のエアーの滞留を防ぐことができ、作業室１の下部からのエアーの還流を効率的に行うことができ、ひいては作業室１内の超高清浄度を短時間で達成することが可能となる。
【００３８】
前カバー１２の前面の壁には二つの円形の開口部２１が設けられており、これらの開口部２１に一対の手作業用グローブ２２が装着されている。そして、これらの手作業用グローブ２２にオペレーターが両手を入れて、作業室１内で必要な作業を行うことができるようになっている。
【００３９】
次に、このクリーンユニットの運転方法の一例について説明する。ここでは、最初、作業室１の内部が通常の室内環境のような低清浄度であるとする。
送風ファン１６を作動させると、図６中矢印で示すように、作業室１内のエアーは底板１４の通気孔１４ａを通り、底板１４と本体１１の底面との間の空間を通って隙間１３から本体１１の背面の二重壁の間の空間に入り、さらに本体１１の上面１１ｃと天井板１５とからなる二重壁の間の空間に入り、送風ファン１６の側面に送られ、この送風ファン１６から下方に排気される。こうして送風ファン１６から排気されるエアーは天井板１５と塵埃フィルター１７との間の空間内で水平方向に広がるとともに、塵埃フィルター１７を通ってダスト微粒子が除去された後、本体１１の内部に送られる。この場合、塵埃フィルター１７の空隙は極めて小さく、この塵埃フィルター１７を通るエアーの流れに対して抵抗となるため、この塵埃フィルター１７により非ゼロの圧力損失が生じる。その結果、塵埃フィルター１７通過後のエアーの流れの、この塵埃フィルター１７の場所依存性は小さくなる。こうして塵埃フィルター１７から下方に流れるエアーは底板１４の通気孔１４ａを通って底板１４と本体１１の底面との間の空間に流れ、再び上述の気体流路を通ってエアーが流れる。このようにして、作業室１から流出するエアーの全てが上述の気体流路を通って塵埃フィルター１７の入口に入るエアーの還流が継続して起こることによりエアーの清浄化が行われる。
【００４０】
このクリーンユニットの作業室１内のダスト微粒子のカウント数の時間依存性の測定を行った。図１１にその結果を示す。図１１において、縦軸は粒径０．３μｍ以上のダスト微粒子数（個／ｃｆ）を対数で表示している。クリーンユニットは通常環境の部屋に設置した。クリーンユニットは密閉されており、作業室１内にダストカウンターを設置した。ただし、本体１１の内部の空間の大きさは奥行き約４１ｃｍ、幅約８０ｃｍ、高さ約８０ｃｍ、前カバー１２の下端の奥行きは約１４ｃｍ、上端の奥行きは約４ｃｍである。この場合、クリーンユニットの作業室１の内部の空間の体積は約０．４ｍ3 である。二重壁を構成する外壁１１ａと内壁１１ｂとの間の空間の厚さは約３．２ｃｍである。二重壁が形成されていない領域１１ｃの寸法は幅約３０ｃｍ、高さ約２５ｃｍである。送風ファン１６としては、寸法が１８ｃｍ×１８ｃｍ×９ｃｍの軸流ファンを用い、風量は０．４〜０．９ｍ3 ／分である。本体１１は鏡面仕上げ（ＪＩＳ規格＃４００相当）のステンレス鋼により形成し、前カバー１２は透明パレックス樹脂により形成した。塵埃フィルター１７としては、寸法が２０ｃｍ×２０ｃｍ×５．５ｃｍ、粒径０．３μｍのダスト微粒子の捕集効率が９９．９９％以上のＨＥＰＡフィルターを用いた。
【００４１】
図１１から分かるように、送風ファン１６の作動後、わずか５分で粒径０．３μｍ以上のダスト微粒子数は１（個／ｃｆ）に減少し、その後は平均で０．２７５（個／ｃｆ）になった。すなわち、塵埃フィルター１７としてのＨＥＰＡフィルターが本体１１の天井、すなわち上面１１ｃに平行に配置されたこのクリーンユニットの構造では、このクリーンユニットの最上部が、占有体積を小さく抑えたコンパクトな気流浄化機構を有し、このクリーンユニットの占有体積に対する作業室１の内部の作業空間の相対的な比率を大きくすることができるので、クリーンユニットの上部をフルフラットな構造とすることを達成した上で、ＩＳＯクラス１程度の極めて良好な清浄度を達成することができた。なお、ダストカウンターとしては、東京ニュークリアサービス（株）のＬａｓａｉｒ１１０および３１０を使用した。
【００４２】
以上のように、この第１の実施形態によれば、作業室１の本体１１の内部において上面１１ｃに平行に天井板１５が設けられ、この天井板１５に送風ファン１６が取り付けられ、この天井板１５の直ぐ下方に塵埃フィルター１７が設けられていることにより、特許文献９に提案された従来のクリーンユニットと異なり、作業室１の上面をフラットに構成することができ、ひいてはクリーンユニットの全体の大きさを小さくすることができる。また、作業室１の上面がフラットな面であるので、塵埃フィルター１７のろ材の使用量を最小にすることができる。あるいは、塵埃フィルター１７のろ材を折り込まれたジグザグ形状の断面構造とする場合でも、ジグザグ形状の断面構造を有するろ材の周期をｗ、高さをｈとしたとき、０＜ｈ／ｗ≦１０とすることにより、従来の一般的なクリーンユニットに比べてクリーンユニットをコンパクトに構成することができるとともに、塵埃フィルター１７のろ材の使用量を少なく抑えることができる。従来これができなかったのは以下の理由による。
【００４３】
すなわち、塵埃フィルターが平面構造である場合や、ジグザグ形状の断面構造を有する場合であっても高さ（振幅）ｈが小さいものを用いる場合は、
１）塵埃フィルターにおける圧力損失が大きくなり、このため風量が落ち、ダスト微粒子の捕集効率γが低下してしまう。
２）密閉完全循環構成を有していない従来の一般的なクリーンユニットでは、塵埃フィルターの作業室と反対側の片側は、ダスト微粒子密度の高い気体と接しており、塵埃フィルターの目詰まりが激しい。この目詰まりの問題を解決するためには、目の細かさの度合いが異なる塵埃フィルターの数層にも亘る積層構造を採用せざるを得なかった。
という問題があるため、実際上、平面構造やジグザグ形状の断面構造を有する塵埃フィルターを用いることは困難であった。すなわち、従来は、折り込みにより塵埃フィルターの面積を大きくして圧力損失を低くするとともに、塵埃フィルターの目詰まりを単位面積当たりで緩和することで、いわばだましだまし使っていた。
【００４４】
これに対し、この第１の実施形態によれば、密閉完全循環構成を有していない従来の一般的なクリーンユニットでは、到達清浄度は（１−γ）n （ｎは塵埃フィルターの多重度で通常ｎ＝２）の依存性を有するので、γの劣化で数桁の清浄度の劣化が生じるのとは大きく異なり、到達清浄度は１／γの依存性を有するため、γの多少の劣化は完全に無視することができる。すなわち、γが１−ε（ε＞０）に劣化したとしても、到達清浄度は、γ＝１の理想的な場合に比べて、１／（１−ε）〜１＋εにしたがって、高々２倍以下、実際上数％と極めてわずかしか劣化しない。また、密閉完全循環構成を有するため、図１１に示す実験結果に示すように、ダスト微粒子密度が高い気体に接するのは数分のオーダーに過ぎず、塵埃フィルターの目詰まりの問題も従来に比べると無視することができる位にわずかである。ちなみに、従来の一般的なクリーンユニットの使用条件では、フィルター寿命は数年であるが、このクリーンユニットにおいて塵埃フィルターがダスト微粒子が高い気体に接する時間のスケールは上記のように数分のオーダーであるから、フィルターの目詰まりは無視することができることが分かる。したがって、従来のクリーンユニットでは必要であった塵埃フィルターの積層構造は採用する必要がない。最も簡単な場合は、最も目の細かい塵埃フィルター（例えば、ＵＬＰＡフィルターの単一平面構造、あるいはＨＥＰＡフィルターとＵＬＰＡフィルターとの平面２面のみのタンデム構造）でも実用に耐えうる。さらに、上述のような単一平面構造の塵埃フィルターのみでも、高清浄度を達成することができるため、上述のように塵埃フィルターのろ材の使用量が従来に比べてはるかに少なくて済む。したがって、清浄空間あるいは作業室の天井面全体あるいは天井面の多くの比率を占める部分を、この単一平面構造の塵埃フィルターで覆うことが、コスト増加を伴うことなく可能となる。さらにこの場合、圧力損失が天井面全体で生じるので、均一なダウンフローが、セルフアライン的に、自動的に形成される。
【００４５】
また、密閉可能なクリーンユニットの作業室１の本体１１の背面を一部を除いて二重壁とし、この二重壁の間の空間を、作業室１の内部から塵埃フィルター１７の入口に戻る気体流路の一部としているので、作業室１から塵埃フィルター１７の入口にエアーを途中で淀むことなく効率良く還流させることができる。このため、このクリーンユニットをオフィスなどの通常の環境下にクリーンユニットを置いた場合でも、塵埃フィルター１７の運転開始後極めて短時間（例えば、２０分程度）で例えばＩＳＯクラス−１程度の超高清浄度を達成することができ、しかも長期間にわたってこの超高清浄度を維持することができる。このため、このように超高清浄度の作業室１内で素子の製造や細胞の育成などを汚染を最小限に抑えつつ、最適な環境で行うことができ、歩留まりの大幅な向上を図ることができる。また、このクリーンユニットは、清浄度が低い通常のオフィス環境に設置しても内部の高清浄度環境を維持することができることから、従来のように巨大なクリーンルーム内に設置する必要がなく、設備コストの大幅な低減を図ることができる。このクリーンユニットは、このようにＩＳＯクラス−１程度の超高清浄度エアー環境を実現することができるため、完全に塵・菌がゼロの状態のクリーンエアー環境を実現することができる。例えば、次世代高度技術、特に、バイオとナノの融合や細胞培養の発展に資することができる。特に、高い費用がかかるＧＭＰなどを廉価にシステムアップすることもできる。
以上を総合すると、全ての点において理想的なクリーンユニットを実現することができる。
【００４６】
次に、この考案の第２の実施形態によるクリーンユニットについて説明する。
図１２〜図１８はこの第２の実施形態によるクリーンユニットを示し、図１２は正面図、図１３は背面図、図１４は上面図、図１５は左側面図、図１６は右側面図、図１７は図１４のＸ−Ｘ線に沿っての断面図である。また、図１８はこのクリーンユニットの作業室から前カバーを取り外した状態を示す正面図である。前カバーを本体に取り付けられる側から見た図は図９と同様である。
【００４７】
図１２〜図１８に示すように、このクリーンユニットにおいては、本体１１の底面は、所定の間隔をおいて互いに平行に設けられた外壁１１ｅと内壁１１ｆとからなる二重壁により構成されている（図１７参照）。この二重壁の間の空間は気体流路の一部を構成する。この場合、送風ファン１６は、第１の実施形態と異なり、内壁１１ｆのほぼ中央部に設けられた円形の開口に取り付けられている。この送風ファン１６の回転軸は内壁１１ｆに垂直になっている。また、第１の実施形態と異なり、天井板１５は設けられていない。
このクリーンユニットの上記以外の構成は第１の実施形態によるクリーンユニットと同様である。
【００４８】
次に、このクリーンユニットの運転方法の一例について説明する。ここでは、最初、作業室１の内部が通常の室内環境のような低清浄度であるとする。
送風ファン１６を作動させると、図１７中矢印で示すように、作業室１内のエアーは底板１４の通気孔１４ａを通り、底板１４と本体１１の底面の内壁１１ｆとの間の空間を通って送風ファン１６に入り、この送風ファン１６から排気されて本体１１の底面の内壁１１ｆと外壁１１ｅとの間の空間を通って本体１１の背面の二重壁の間の空間に入り、さらに本体１１の上面１１ｃと塵埃フィルター１７との間の空間に送られ、この空間内で水平方向に広がるとともに、塵埃フィルター１７を通ってダスト微粒子が除去された後、本体１１の内部に送られる。こうして塵埃フィルター１７から下方に流れるエアーは底板１４の通気孔１４ａを通って本体１１の底面の内壁１１ｆと外壁１１ｅとの間の空間に流れ、再び上述の気体流路を通ってエアーが流れる。このようにして、作業室１から流出するエアーの全てが上述の気体流路を通って塵埃フィルター１７の入口に入るエアーの還流が継続して起こることによりエアーの清浄化が行われる。
この第２の実施形態によっても、第１の実施形態と同様な利点を得ることができる。
【００４９】
次に、この考案の第３の実施形態によるクリーンユニットについて説明する。
図１９〜図２５はこの第３の実施形態によるクリーンユニットを示し、図１９は正面図、図２０は背面図、図２１は上面図、図２２は左側面図、図２３は右側面図、図２４は図２１のＸ−Ｘ線に沿っての断面図、図２５は図２２のＹ−Ｙ線に沿っての断面図である。また、図２６はこのクリーンユニットの作業室から前カバーを取り外した状態を示す正面図である。前カバーを本体に取り付けられる側から見た図は図９と同様である。
【００５０】
図１９〜図２６に示すように、このクリーンユニットにおいては、本体１１の背面は、外壁１１ａと内壁１１ｂとからなる二重壁ではなく、外壁１１ａのみにより構成されている（図２４参照）。この場合、本体１１の背面側の両隅に、本体１１の底面の内壁１１ｆと外壁１１ｅとの間の空間と、本体１１の上面１１ｃと塵埃フィルター１７との間の空間とを連結するように垂直方向に還流パイプ２３、２４が設けられている。これらの還流パイプ２３、２４の内部の空間は気体流路の一部を構成する。
このクリーンユニットの上記以外の構成は第２の実施形態によるクリーンユニットと同様である。
【００５１】
次に、このクリーンユニットの運転方法の一例について説明する。ここでは、最初、作業室１の内部が通常の室内環境のような低清浄度であるとする。
送風ファン１６を作動させると、図２４中矢印で示すように、作業室１内のエアーは底板１４の通気孔１４ａを通り、底板１４と本体１１の底面の内壁１１ｆとの間の空間を通って送風ファン１６に入り、この送風ファン１６から排気されて本体１１の底面の内壁１１ｆと外壁１１ｅとの間の空間を通って還流パイプ２３、２４を通り、本体１１の上面１１ｃと塵埃フィルター１７との間の空間に入り、この空間内で水平方向に広がるとともに、塵埃フィルター１７を通ってダスト微粒子が除去された後、本体１１の内部に送られる。こうして塵埃フィルター１７から下方に流れるエアーは底板１４の通気孔１４ａを通って本体１１の底面の内壁１１ｆと外壁１１ｅとの間の空間に流れ、再び上述の気体流路を通ってエアーが流れる。このようにして、作業室１から流出するエアーの全てが上述の気体流路を通って塵埃フィルター１７の入口に入るエアーの還流が継続して起こることによりエアーの清浄化が行われる。
この第３の実施形態によっても、第１の実施形態と同様な利点を得ることができる。
【００５２】
次に、この考案の第４の実施形態によるクリーンユニットについて説明する。
図２７〜図３２はこの第４の実施形態によるクリーンユニットを示し、図２７は正面図、図２８は背面図、図２９は上面図、図３０は図２９のＷ−Ｗ線に沿っての断面図、図３１は図２９のＺ−Ｚ線に沿っての断面図である。このクリーンユニットの、図２２のＹ−Ｙ線に沿っての断面図は図２５と同様である。図３２はこのクリーンユニットの作業室から前カバーを取り外した状態を示す正面図である。前カバーを本体に取り付けられる側から見た図は図９と同様である。
【００５３】
図２７〜図３２に示すように、このクリーンユニットにおいては、本体１１の背面は、外壁１１ａと内壁１１ｂとからなる二重壁ではなく、外壁１１ａのみにより構成されている（図３０および図３１参照）。この場合、本体１１の上面１１ｃに平行に一層目の塵埃フィルター１７が設けられ、この塵埃フィルター１７の直ぐ下方にこの塵埃フィルター１７に平行にセパレータ２５が設けられ、このセパレータ２５の直ぐ下方にこのセパレータ２５に平行に二層目の塵埃フィルター２６が設けられている。塵埃フィルター１７とセパレータ２５との間の空間と、塵埃フィルター２６とセパレータ２５との間の空間とはこのセパレータ２５により互いに分離されている。この場合、本体１１の背面側の一方の隅に、本体１１の底面の内壁１１ｆと外壁１１ｅとの間の空間と、本体１１の上面１１ｃと塵埃フィルター１７との間の空間とを連結するように垂直方向に還流パイプ２３が設けられている。また、本体１１の背面側の他方の隅に、本体１１の底面の内壁１１ｆと外壁１１ｅとの間の空間と、塵埃フィルター２６とセパレータ２５との間の空間とを連結するように垂直方向に還流パイプ２４が設けられている。これらの還流パイプ２３、２４の内部の空間は気体流路の一部を構成する。
【００５４】
上述の塵埃フィルター１７、セパレータ２５および塵埃フィルター２６の詳細について説明する。図３３は塵埃フィルター１７、セパレータ２５および塵埃フィルター２６の部分を示す。また、図３４はクリーンユニットの本体１１の左上部における塵埃フィルター１７、セパレータ２５および塵埃フィルター２６を示す。図３３および図３４に示すように、平面構造を有するシート状のろ材からなる塵埃フィルター１７は、長方形の枠体２７に張られた格子状の網２８の上に載せられている。同様に、平面構造を有するシート状のろ材からなる塵埃フィルター２６は長方形の枠体２９に張られた格子状の網３０の上に載せられている。枠体２７、セパレータ２５および枠体２９はそれらの四隅で連結棒３１により互いに連結されている。図３３においては、枠体２９の全体を図示するために、枠体２９を連結棒３１から外した状態が示されている。還流パイプ２３は枠体２９の図３３中左奥の隅に連結されている。また、還流パイプ２４は枠体２９およびセパレータ２５を貫通して枠体２７の図３３中右奥の隅に連結されている。本体１１の内壁と枠体２７、セパレータ２５および枠体２９の側面との間は従来公知のコーキング材（シール材）により封止されている。セパレータ２５と枠体２９との間には連結パイプ３２が取り付けられており、この連結パイプ３２により、塵埃フィルター１７とセパレータ２５との間の空間と、塵埃フィルター２６の下方の空間とが互いに連結されている（図２９参照）。図３３においては、枠体２９を連結パイプ３２から外した状態が示されている。符号３３は連結パイプ３２を枠体２９に取り付けるための開口を示す。連結パイプ３２と枠体２９との間はＯリングなどにより封止されている。
【００５５】
塵埃フィルター１７、２６は、除去可能なダスト微粒子の最小径が互いに異なり、塵埃フィルター１７に比べて塵埃フィルター２６の方が除去可能なダスト微粒子の最小径が小さい。塵埃フィルター１７としては、例えば、ガラス繊維をろ材に用いたＨＥＰＡフィルターを用いる。塵埃フィルター２６としては、自己発塵の少ないもの、例えば、ポリテトラフルオロエチレンをろ材に用いたＵＬＰＡフィルターを用いる。
図示は省略するが、還流パイプ２３、２４の下部には弁が取り付けられており、これらの弁を開閉することにより還流パイプ２３、２４を通るエアーの流れを制御することができるようになっている。
このクリーンユニットの上記以外の構成は第２の実施形態によるクリーンユニットと同様である。
【００５６】
次に、このクリーンユニットの運転方法の一例について説明する。ここでは、最初、作業室１の内部が通常の室内環境のような低清浄度であるとする。
まず、還流パイプ２３に取り付けられた弁を閉め、還流パイプ２４に取り付けられた弁を開けた状態で送風ファン１６を作動させると、図３１中矢印で示すように、作業室１内のエアーは底板１４の通気孔１４ａを通り、底板１４と本体１１の底面の内壁１１ｆとの間の空間を通って送風ファン１６に入り、この送風ファン１６から排気されて本体１１の底面の内壁１１ｆと外壁１１ｅとの間の空間を通って還流パイプ２４を通り、本体１１の上面１１ｃと塵埃フィルター１７との間の空間に入り、この空間内で水平方向に広がるとともに、塵埃フィルター１７を通って粒径が大きいダスト微粒子が除去され、図３０に示すように連結パイプ３２を通って塵埃フィルター２６の下方の空間に排気される。こうして塵埃フィルター１７により粒径が大きいダスト微粒子を十分に除去した後、還流パイプ２４に取り付けられた弁を閉め、還流パイプ２３に取り付けられた弁を開ける。こうすることで、図３０中矢印で示すように、大きいダスト微粒子が除去された作業室１内のエアーは底板１４の通気孔１４ａを通り、底板１４と本体１１の底面の内壁１１ｆとの間の空間を通って送風ファン１６に入り、この送風ファン１６から排気されて本体１１の底面の内壁１１ｆと外壁１１ｅとの間の空間を通って還流パイプ２３を通り、セパレータ２５と塵埃フィルター２６との間の空間に入り、この空間内で水平方向に広がるとともに、塵埃フィルター２６を通ってより粒径が小さいダスト微粒子が除去される。こうしてエアーの清浄化が行われる。
【００５７】
この第４の実施形態によれば、第１の実施形態と同様な利点に加えて次のような利点を得ることができる。すなわち、塵埃フィルター１７により粒径が大きいダスト微粒子を除去してある清浄度まで清浄化を行ってから、より粒径が小さいダスト微粒子の除去が可能な塵埃フィルター２６を使用して清浄化を行うため、最初から塵埃フィルター２６を使用して清浄化を行う場合に比べて、塵埃フィルター２６の目詰まりなどを起こすことなく、作業室１を塵埃フィルター２６により到達可能な清浄度に清浄化することができる。また、塵埃フィルター２６の寿命の向上を図ることができる。このため、このクリーンユニットをオフィスなどの通常の環境下にクリーンユニットを置いた場合でも、塵埃フィルター１７、２６の運転開始後極めて短時間（例えば、２０分程度）で例えばＩＳＯクラス−１〜−３という世界最高の超高清浄度を達成することができ、しかも長期間にわたってこの超高清浄度を維持することができる。このため、このように超高清浄度の作業室１内で素子の製造や細胞の育成などを汚染を最小限に抑えつつ、最適な環境で行うことができ、歩留まりの大幅な向上を図ることができる。また、このクリーンユニットは、清浄度が低い通常のオフィス環境に設置しても内部の高清浄度環境を維持することができることから、従来のように巨大なクリーンルーム内に設置する必要がなく、設備コストの大幅な低減を図ることができる。このクリーンユニットは、このようにＩＳＯクラス−２〜−３程度の超高清浄度エアー環境を実現することができるため、完全に塵・菌がゼロの状態のクリーンエアー環境を実現することができる。例えば、次世代高度技術、特に、バイオとナノとの融合や細胞培養の発展に資することができる。特に、高い費用がかかるＧＭＰなどを廉価にシステムアップすることもできる。
【００５８】
次に、この考案の第５の実施形態によるポータブル（ハンドキャリータイプ）クリーンユニットについて説明する。
図３５〜図３９はこの第５の実施形態によるポータブルクリーンユニットを示し、図３５は斜視図、図３６は正面図、図３７は図３５のＸ−Ｘ線に沿っての断面図、図３８は上面図、図３９は分解斜視図である。
【００５９】
図３５〜図３９に示すように、このポータブルクリーンユニットは、全体として直方体形状の箱状の本体１１を有する。図３９の分解斜視図には、便宜上、この本体１１の六面を構成する上板、前面板、背面板、左側板、右側板および底板をそれぞれ符号４１〜４６で示すが、これは別々に作られた六枚の板によりこの本体１１を構成しなければならないことを意味するものではない。本体１１の内部は外部から密閉することができるようになっている。前面板４２は本体１１の前面に取り外し可能に設けられており、図示省略した固定具により固定することができるようになっている。前面板４２には、外部から内部を観察可能とするために、ガラス窓４２ａが設けられている。このポータブルクリーンユニットを直接手に持って搬送する場合には、上板４１に把手が取り付けられる。
【００６０】
本体１１の内部においては、底板４６から離れた位置に仕切り板４７がこの底板４６に平行に設けられている。また、この仕切り板４７と上板４１とを垂直に連結するように、右側板４５から離れた位置に仕切り板４８がこの右側板４５に平行に設けられている。この仕切り板４８により、上板４１、前面板４２、背面板４３、左側板４４、仕切り板４７および仕切り板４８により囲まれた空間と、上板４１、前面板４２、背面板４３、右側板４５、仕切り板４７および仕切り板４８により囲まれた空間とが互いに分離されている。前面板４２を取り外した状態で、上板４１、前面板４２、背面板４３、左側板４４、仕切り板４７および仕切り板４８により囲まれた空間の中にプロセス装置や観察装置などの必要な装置や試料などを入れることができるようになっている。仕切り板４８の下部の一端には切欠き部４８ａが設けられている。この切欠き部４８ａを介して、上板４１、前面板４２、背面板４３、左側板４４、仕切り板４７および仕切り板４８により囲まれた空間と、上板４１、前面板４２、背面板４３、右側板４５、仕切り板４７および仕切り板４８により囲まれた空間とが互いに連通している。上板４１、前面板４２、背面板４３、左側板４４、仕切り板４７および仕切り板４８により囲まれた空間の上部には、上板４１の直ぐ下方に、この上板４１に平行に、塵埃フィルター１７、セパレータ２５および塵埃フィルター２６が設けられている。図示は省略するが、塵埃フィルター１７とセパレータ２５との間の空間と、塵埃フィルター２６の下方の空間とは連結パイプにより互いに連結されている。上板４１、前面板４２、背面板４３、右側板４５、仕切り板４７および仕切り板４８により囲まれた空間においては、エアーを送るブロワ４９が仕切り板４８に取り付けられている。図示は省略するが、このブロワ４９にはエアーの吸い込み口が設けられている。このブロワ４９のモーターには、前面板４２、背面板４３、左側板４４、右側板４５、仕切り板４７および底板４６により囲まれた空間に収容された電池パック５０から、図示省略された配線により電力が供給されるようになっている。
【００６１】
仕切り板４８の上部には、上板４１と塵埃フィルター１７との間の空間に繋がった開口４８ｂおよびセパレータ２５と塵埃フィルター２６との間の空間に繋がった開口４８ｃが設けられている。図示は省略するが、これらの開口４８ｂおよび開口４８ｃには微小な弁が設けられている。
【００６２】
本体１１を構成する上板４１、前面板４２、背面板４３、左側板４４、右側板４５、底板４６、仕切り板４７および仕切り板４８は、内壁からのダスト微粒子の放出を抑えたり、静電気の発生などによるダスト微粒子の付着を防止するために、好適には、金属、取り分けステンレス鋼（例えば、ＳＵＳ３０４）により形成され、より好適には、その内面が、除去しようとするダスト微粒子の径と同程度またはそれ以上の大きさの凹凸を有しない平滑表面であるもの、例えば鏡面（例えば、ＪＩＳ規格＃４００〜＃８００相当）のステンレス鋼により形成されるが、他の材料、例えばアクリル樹脂などの樹脂を用いてもよい。
【００６３】
本体１１の寸法は、一般的には奥行き、幅、高さとも６０ｃｍ以内であり、上板４１、前面板４２、背面板４３、左側板４４、仕切り板４７および仕切り板４８により囲まれた空間４９の寸法は、一般的には奥行きは６０ｃｍ以内、幅、高さは５５ｃｍ以内であるが、これに限定されるものではない。
【００６４】
次に、このポータブルクリーンユニットの運転方法の一例について説明する。ここでは、最初、本体１１の上板４１、前面板４２、背面板４３、左側板４４、仕切り板４７および仕切り板４８により囲まれた空間の内部が通常の室内環境のような低清浄度であるとする。
まず、仕切り板４８の開口４８ｃに設けられた弁を閉め、仕切り板４８の開口４８ｂに設けられた弁を開けた状態でブロワ４９を作動させると、本体１１の、上板４１、前面板４２、背面板４３、左側板４４、仕切り板４７および仕切り板４８により囲まれた空間内のエアーが仕切り板４８の下部の切欠き部４８ａの空隙を通って、上板４１、前面板４２、背面板４３、右側板４５、仕切り板４７および仕切り板４８により囲まれた空間内に引き込まれ、ブロワ４９に吸い込まれて排気口から排気される。こうしてブロワ４９から排気されたエアーは、仕切り板４８の開口４８ｂを通って、上板４１と塵埃フィルター１７との間の空間に入り、この空間内で水平方向に広がるとともに、塵埃フィルター１７を通って粒径が大きいダスト微粒子が除去され、連結パイプを通って塵埃フィルター２６の下方の空間に排気される。こうして塵埃フィルター１７により粒径が大きいダスト微粒子を十分に除去した後、仕切り板４８の開口４８ｂに設けられた弁を閉め、仕切り板４８の開口４８ｃに設けられた弁を開ける。大きいダスト微粒子が除去された、上板４１、前面板４２、背面板４３、左側板４４、仕切り板４７および仕切り板４８により囲まれた空間内のエアーは、仕切り板４８の下部の切欠き部４８ａの空隙を通って、上板４１、前面板４２、背面板４３、右側板４５、仕切り板４７および仕切り板４８により囲まれた空間内に引き込まれ、ブロワ４９に吸い込まれて排気口から排気される。そして、こうしてブロワ４９から排気されたエアーは、仕切り板４８の開口４８ｃを通って、セパレータ２５と塵埃フィルター２６との間の空間に入り、この空間内で水平方向に広がるとともに、塵埃フィルター２６を通ってより粒径が小さいダスト微粒子が除去される。こうしてエアーの清浄化が行われる。
【００６５】
この第５の実施形態によれば、第４の実施形態と同様な利点を得ることができることに加えて、いつでも、どこへでも持ち運びができ、ポータブルクリーンユニットを実現することができるという利点を得ることができる。このポータブルクリーンユニットは、密閉構造であるため、設置環境に依存せず、清浄度が低いオフィス環境などの通常の環境に設置しても内部の高清浄度環境を維持することができ、試料を高清浄度環境に置いたまま、持ち運ぶことができる。
【００６６】
次に、この考案の第６の実施形態によるクリーンユニットについて説明する。
このクリーンユニットにおいては、第１〜第４の実施形態によるクリーンユニットまたは第５の実施形態によるポータブルクリーンユニットにおける塵埃フィルター１７、２６として、図４０Ａに示すように、断面が周期（ピッチ）ｗ、高さ（振幅）ｈのジグザグ形状を有し、全体としてシート状のろ材からなるものを用いる。一般的には０＜ｈ／ｗ≦１０である。具体的には、ｗは例えば数ｍｍ程度、ｈは例えば数ｃｍ程度であるが、これに限定されるものではない。比較のために、塵埃フィルター１７、２６が図４０Ａに示すものと占有面積が同じ平坦なシート状のろ材からなるものを図４０Ｂに示す。例えばｗが３ｍｍ、ｈが５ｃｍとすると、図４０Ａに示すものは、占有面積が同じ図４０Ｂに示すろ材に比べて、有効面積は約３３倍にもなる。
【００６７】
この第６の実施形態によれば、塵埃フィルター１７、２６として、ジグザグ形状の断面構造を有し、全体としてシート状のろ材からなるものを用いることにより、占有面積が同じ平坦なシート状ろ材を用いた場合に比べて、フィルターの有効面積を極めて大きく、例えば約３３倍も大きくすることができる。このため、塵埃フィルター１７、２６により効率的にダスト微粒子を除去することができる。また、有効面積を十分に大きく維持しつつ、塵埃フィルター１７、２６の占有面積を小さくすることができるので、クリーンユニットの小型化にも十分に対応することができる。
【００６８】
次に、この考案の第７の実施形態による連結クリーンユニットについて説明する。
図４１に示すように、この連結クリーンユニットにおいては、第１〜第５の実施形態によるクリーンユニットと同様な三方向接続可能なクリーンユニット１２１〜１２８がトランスファーボックス１２９を介して連結されている。この場合、クリーンユニット１２２〜１２７はループ状配置で連結されている。
【００６９】
各クリーンユニット１２１〜１２８で行われる作業は例えば次の通りである。まず、クリーンユニット１２１は保管ユニットで、試料保管庫（例えば、基板を収納したウエハーカセット）が設置され、連結に使用されていない右側面のトランスファーボックス１２９は試料投入口、同じく連結に使用されていない背面のトランスファーボックス１２９は非常時試料取出口である。クリーンユニット１２２は化学ユニットで、例えば化学前処理システムが設置され、化学前処理が行われる。クリーンユニット１２３はレジストプロセスユニットで、例えばスピンコータおよび現像装置が設置され、レジストのコーティングや現像が行われる。クリーンユニット１２４はリソグラフィーユニットで、露光装置が設置され、連結に使用されていない右側面のトランスファーボックス１２９は非常時試料取出口である。クリーンユニット１２５は成長／メタライゼーションユニットで、例えば電気化学装置およびマイクロリアクターシステムが設置され、連結に使用されていない右側面のトランスファーボックス１２９は非常時試料取出口である。クリーンユニット１２６はエッチングユニットで、エッチング装置が設置されている。このクリーンユニット１２６の背面のトランスファーボックス１２９は、中継ボックス１３０を介して、クリーンユニット１２３の背面のトランスファーボックス１２９と連結されている。クリーンユニット１２７はアセンブリユニットで、例えば顕微鏡およびプローバーが設置されている。クリーンユニット１２８は走査プローブ顕微鏡（ＳＰＭ）観察ユニットで、例えば卓上ＳＴＭおよび卓上ＡＦＭが設置され、連結に使用されていない右側面のトランスファーボックス１２９は試料取出口、同じく連結に使用されていない背面のトランスファーボックス１２９は非常時試料取出口である。クリーンユニット１２３のスピンコータ、クリーンユニット１２４の露光装置、クリーンユニット１２５の電気化学装置およびマイクロリアクターシステム、クリーンユニット１２６のエッチング装置、クリーンユニット１２７のプローバーなどは電源に接続されていて電源が供給されるようになっている。また、クリーンユニット１２５の電気化学装置は信号ケーブルにより電気化学装置制御器と接続されており、この電気化学装置制御器により制御されるようになっている。さらに、クリーンユニット１２７の顕微鏡、クリーンユニット１２８の卓上ＳＴＭおよび卓上ＡＦＭによる観察画像は、液晶モニターに映し出すことができるようになっている。
【００７０】
この連結クリーンユニットにおいて、例えば、第１〜第５の実施形態によるクリーンユニットを小型化してポータブルとしたポータブルクリーンユニットの作業室内に試料（例えば、半導体ウェハー）を保管したまま、このポータブルクリーンユニットのトランスファーボックスをクリーンユニット１２８の試料取り出し口に取り付けて連結する。この状態でトランスファーボックス１２９を経由して、遠く離れた２つの地点に存在する、クリーンユニット連結プラットフォームシステムの間で試料の移動を行うこともできる。また、このポータブルクリーンユニットからクリーンユニット１２８に試料を搬送し、卓上ＳＴＭまたは卓上ＡＦＭにより観察を行うこともできる。
【００７１】
この第７の実施形態によれば、第１の実施形態と同様な利点に加えて、次のような多くの利点を得ることができる。すなわち、化学前処理、レジスト塗布、露光、現像、成長／メタライゼーション、エッチング、プロービング、表面観察など、通常巨大なクリーンルームの中に設えられた装置群を駆使して行われるほぼあらゆる工程を、超高清浄度のクリーンエアー環境が得られるクリーンユニットを連結した連結クリーンユニットにおいてループ状配置などを取ることによって、大規模なクリーンルームを用いることなく通常の実験室規模の部屋の中において簡便かつコンパクトに実現することができる。
【００７２】
以上、この考案の実施形態について具体的に説明したが、この考案は、上述の実施形態に限定されるものではなく、この考案の技術的思想に基づく各種の変形が可能である。
例えば、上述の実施形態において挙げた数値、構造、構成、形状、材料などはあくまでも例に過ぎず、必要に応じてこれらと異なる数値、構造、構成、形状、材料などを用いてもよい。
【図面の簡単な説明】
【００７３】
【図１】この考案の第１の実施形態によるクリーンユニットの正面図である。
【図２】この考案の第１の実施形態によるクリーンユニットの背面図である。
【図３】この考案の第１の実施形態によるクリーンユニットの上面図である。
【図４】この考案の第１の実施形態によるクリーンユニットの左側面図である。
【図５】この考案の第１の実施形態によるクリーンユニットの右側面図である。
【図６】図３のＸ−Ｘ線に沿っての断面図である。
【図７】図４のＹ−Ｙ線に沿っての断面図である。
【図８】この考案の第１の実施形態によるクリーンユニットの本体の正面図である。
【図９】この考案の第１の実施形態によるクリーンユニットの前カバーの背面図である。
【図１０】この考案の第１の実施形態によるクリーンユニットの底板の平面図である。
【図１１】この考案の第１の実施形態によるクリーンユニットのダスト微粒子数の経時変化を示す略線図である。
【図１２】この考案の第２の実施形態によるクリーンユニットの正面図である。
【図１３】この考案の第２の実施形態によるクリーンユニットの背面図である。
【図１４】この考案の第２の実施形態によるクリーンユニットの上面図である。
【図１５】この考案の第２の実施形態によるクリーンユニットの左側面図である。
【図１６】この考案の第２の実施形態によるクリーンユニットの右側面図である。
【図１７】図１４のＸ−Ｘ線に沿っての断面図である。
【図１８】この考案の第２の実施形態によるクリーンユニットの本体の正面図である。
【図１９】この考案の第３の実施形態によるクリーンユニットの正面図である。
【図２０】この考案の第３の実施形態によるクリーンユニットの背面図である。
【図２１】この考案の第３の実施形態によるクリーンユニットの上面図である。
【図２２】この考案の第３の実施形態によるクリーンユニットの左側面図である。
【図２３】この考案の第３の実施形態によるクリーンユニットの右側面図である。
【図２４】図２１のＸ−Ｘ線に沿っての断面図である。
【図２５】図２２のＹ−Ｙ線に沿っての断面図である。
【図２６】この考案の第３の実施形態によるクリーンユニットの本体の正面図である。
【図２７】この考案の第４の実施形態によるクリーンユニットの正面図である。
【図２８】この考案の第４の実施形態によるクリーンユニットの背面図である。
【図２９】この考案の第４の実施形態によるクリーンユニットの上面図である。
【図３０】図２９のＷ−Ｗ線に沿っての断面図である。
【図３１】図２９のＺ−Ｚ線に沿っての断面図である。
【図３２】この考案の第４の実施形態によるクリーンユニットの本体の正面図である。
【図３３】この考案の第４の実施形態によるクリーンユニットにおける二層の塵埃フィルターおよびセパレータの構造の詳細を示す分解斜視図である。
【図３４】この考案の第４の実施形態によるクリーンユニットにおける二層の塵埃フィルターおよびセパレータの構造の詳細を示す断面図である。
【図３５】この考案の第５の実施形態によるポータブルクリーンユニットの斜視図である。
【図３６】この考案の第５の実施形態によるポータブルクリーンユニットの正面図である。
【図３７】この考案の第５の実施形態によるポータブルクリーンユニットの断面図である。
【図３８】この考案の第５の実施形態によるポータブルクリーンユニットの上面図である。
【図３９】この考案の第５の実施形態によるポータブルクリーンユニットの分解斜視図である。
【図４０】この考案の第６の実施形態によるクリーンユニットにおいて用いられる塵埃フィルターの構成例を示す略線図である。
【図４１】この考案の第７の実施形態による連結クリーンユニットを示す平面図である。
【図４２】従来のクリーンユニットを示す断面図である。
【符号の説明】
【００７４】
１…作業室、１１…本体、１１ａ…外壁、１１ｂ…内壁、１１ｃ…上面、１１ｅ…外壁、１１ｆ…内壁、１２…前カバー、１３…隙間、１４…底板、１５…天井板、１６…送風ファン、１７、２６…塵埃フィルター、１８〜２１…トランスファーボックス、２２…手作業用グローブ、２３、２４…還流パイプ、２５…セパレータ、２７、２９…枠体、２８、３０…網、３１…連結棒、３２…連結管
【図１】
0003140798.tif 000008
【図２】
0003140798.tif 000009
【図３】
0003140798.tif 000010
【図４】
0003140798.tif 000011
【図５】
0003140798.tif 000012
【図６】
0003140798.tif 000013
【図７】
0003140798.tif 000014
【図８】
0003140798.tif 000015
【図９】
0003140798.tif 000016
【図１０】
0003140798.tif 000017
【図１１】
0003140798.tif 000018
【図１２】
0003140798.tif 000019
【図１３】
0003140798.tif 000020
【図１４】
0003140798.tif 000021
【図１５】
0003140798.tif 000022
【図１６】
0003140798.tif 000023
【図１７】
0003140798.tif 000024
【図１８】
0003140798.tif 000025
【図１９】
0003140798.tif 000026
【図２０】
0003140798.tif 000027
【図２１】
0003140798.tif 000028
【図２２】
0003140798.tif 000029
【図２３】
0003140798.tif 000030
【図２４】
0003140798.tif 000031
【図２５】
0003140798.tif 000032
【図２６】
0003140798.tif 000033
【図２７】
0003140798.tif 000034
【図２８】
0003140798.tif 000035
【図２９】
0003140798.tif 000036
【図３０】
0003140798.tif 000037
【図３１】
0003140798.tif 000038
【図３２】
0003140798.tif 000039
【図３３】
0003140798.tif 000040
【図３４】
0003140798.tif 000041
【図３５】
0003140798.tif 000042
【図３６】
0003140798.tif 000043
【図３７】
0003140798.tif 000044
【図３８】
0003140798.tif 000045
【図３９】
0003140798.tif 000046
【図４０】
0003140798.tif 000047
【図４１】
0003140798.tif 000048
【図４２】
0003140798.tif 000049